(57)【要約】【課題】  三方断裁機上で、刷本において天地方向となる断裁仕上げ寸法を精度良く測定できる測定器具を提供する。【解決手段】  測定器具は、長さを測定する測定器としてダイヤルゲージ３０と、ダイヤルゲージ３０が取付けられるゲージ台座３２と、三方断裁機の刷本押さえと天地ナイフの受刃の間に挿入される嵌通部材３１とを備える。上述の構成の測定器具を三方断裁機にセットする前に、ゲージ台座３２の位置を嵌通部材３１の適切な位置に調整すれば、測定器具を三方断裁機にセットしたとき、嵌通部材３１の鍵型の切欠け部３４からダイヤルゲージ３０のゼロ点までの長さと、ダイヤルゲージ３０の示す長さとから、刷本において天地方向となる断裁仕上げ寸法を、三方断裁機上で測定することができる。【選択図】      図３
2007044843.tif 000002
【特許請求の範囲】
【請求項１】
刷本において天地方向となる断裁仕上げ寸法を、三方断裁機上で測定するための測定器具であって、
前記測定器具は、三方断裁機の用紙押さえと天地ナイフの受刃の隙間に嵌通され、前記受刃の断裁面と密着する密着面を有する鍵型の切欠け部が設けられた嵌通部材と、
前記嵌通部材に設置された測定器と、を備え、
前記測定器は、前記測定器具が三方断裁機にセットされ、前記嵌通部材の前記鍵型の切欠け部の密着面を前記受刃の断裁面と密着したときに、前記嵌通部材の前記鍵型の切欠け部が密着する前記受刃とは異なる前記受刃の断裁面を検出し、検出した断裁面と前記鍵型の切欠け部の前記密着面間の長さを測定することを特徴とする測定器具。
【請求項２】
請求項１に記載の測定器具において、前記測定器具に備えられた前記測定器は、ダイヤルゲージと、前記嵌通部材をスライドし任意の箇所で固定でき、前記ダイヤルゲージが装着されるスライド部とから、少なくとも構成されていることを特徴とする測定器具。
【請求項３】
請求項２に記載の測定器具において、前記測定器具に備えられた前記嵌通部材には、前記鍵型の切欠け部の前記密着面から前記ダイヤルゲージのゼロ点までの長さを測定できるスケールが設けられていること特徴とする測定器具。
【発明の詳細な説明】
【技術分野】
【０００１】
本発明は、綴じ加工後の丁合された刷本の三方を一度に断裁仕上げする三方断裁機の天地方向の断裁仕上げ寸法を、試し断裁仕上げすることなく、三方断裁機上で精度良く測定するための測定器具に関する。
【背景技術】
【０００２】
オフセット輪転印刷機で印刷された刷本を製本加工する際は、丁合された刷本を中綴じや平綴じなど綴じ加工した後、刷本に表紙を取り付け、表紙が取り付けられた刷本を三方断裁機で断裁仕上げする。
【０００３】
品目によって、三方断裁機で断裁仕上げされる刷本の断裁仕上げ寸法は異なるため、非特許文献１のカタログにも記載されているように、断裁仕上げに使用される三方断裁機には、一般的に、断裁仕上げ寸法が表示され、断裁仕上げ寸法を調整する調整ハンドルと、調整ハンドルと連動して断裁仕上げ寸法を調整する機構とが備えられている。
【０００４】
刷本の天地方向の断裁仕上げ寸法は、刷本の天側と地側をそれぞれ断裁仕上げする天地ナイフ対の間隔によって決定されるため、三方断裁機には、天地ナイフ対の間隔を調整する機構が備えられる。
【０００５】
しかしながら、老朽化などによって、天地ナイフ対の間隔を調整する機構にガタが発生してしまうと、調整ハンドルで天地方向の断裁仕上げ寸法を設定しても、調整ハンドルに表示される天地方向の断裁仕上げ寸法と断裁仕上げ後の天地方向の断裁仕上げ寸法が一致せずに、刷本の試し断裁仕上げを繰り返し行い、刷本の位置を調整しなければならず、段取り時間のネックとなっていた。
【非特許文献１】「Ｈｏｒｉｚｏｎ社製三方断裁機ＨＴ−７０のカタログ」
【発明の開示】
【発明が解決しようとする課題】
【０００６】
そこで、上述した問題を鑑みて、本発明は、断裁仕上げ工程において、試し断裁仕上げの回数を減らして段取り時間を短縮するために、三方断裁機上で、天地方向の断裁仕上げ寸法を正確に測定することのできる測定器具を提供することを目的とする。
【課題を解決するための手段】
【０００７】
上述した課題を解決する本発明は、刷本において天地方向となる断裁仕上げ寸法を、三方断裁機上で測定するための測定器具であって、
前記測定器具は、三方断裁機の用紙押さえと天地ナイフの受刃の隙間に嵌通され、前記受刃の断裁面と密着する密着面を有する鍵型の切欠け部が設けられた嵌通部材と、
前記嵌通部材に設置された測定器と、を備え、
前記測定器は、前記測定器具が三方断裁機にセットされ、前記嵌通部材の前記鍵型の切欠け部の密着面を前記受刃の断裁面と密着したときに、前記嵌通部材の前記鍵型の切欠け部が密着する前記受刃とは異なる前記受刃の断裁面を検出し、検出した断裁面と前記鍵型の切欠け部の前記密着面間の長さを測定することを特徴とする測定器具である。
【０００８】
上述した本発明によれば、前記測定器具が三方断裁機にセットされ、前記嵌通部材の前記鍵型の切欠け部の密着面を前記受刃の断裁面と密着させたときに、前記測定器具に備えられた前記測長器が、前記嵌通部材の前記鍵型の切欠け部が密着する前記受刃とは異なる前記受刃の断裁面を検出し、検出した断裁面と前記鍵型の切欠け部の前記密着面間の長さを測定することで、前記測長器が測定する長さは、三方断裁機の刷本の天地方向を断裁する天地ナイフ対の間隔の長さに等しいため、試し断裁をすることなく、三方断裁機の刷本の天地方向を断裁する天地ナイフ対の間隔を調整できる。
【０００９】
好ましくは、本発明の測定器具に備えられた前記測定器は、ダイヤルゲージと、前記嵌通部材をスライドし任意の箇所で固定でき、前記ダイヤルゲージが装着されるスライド部とから、少なくとも構成されていることが望ましく、更には、前記嵌通部材には、前記鍵型の切欠け部の前記密着面から前記ダイヤルゲージのゼロ点までの長さを測定できるスケールが設けられていることが望ましい。
【００１０】
上述の構成の前記測定器具を三方断裁機にセットする前に、前記スライド部の位置を前記嵌通部材上の適切な位置に調整すれば、前記測定器具を三方断裁機にセットしたとき、前記鍵型の切欠け部の前記密着面から前記ダイヤルゲージのゼロ点までの長さと、前記ダイヤルゲージの示す長さとから、三方断裁機の刷本の天地方向を断裁する天地ナイフ対の間隔を測定することができる。
【００１１】
本発明の前記測定器具にダイヤルゲージを用いることで、前記測定器具の構成を簡素化でき、かつ、三方断裁機の刷本の天地方向を断裁する天地ナイフ対の間隔を測定するときに、電源等の動力源は不要となる。
【００１２】
加えて、前記嵌通部材には、前記鍵型の切欠け部の前記密着面から前記ダイヤルゲージのゼロ点までの長さを測定できるスケールを設けることで、前記スライド部の位置を設定し易くなる。
【発明の効果】
【００１３】
上述した本発明によれば、断裁仕上げ工程において、試し断裁仕上げの回数を減らして段取り時間を短縮するために、三方断裁機上で、天地方向の断裁仕上げ寸法を正確に測定することのできる測定器具を提供できる。
【発明を実施するための最良の形態】
【００１４】
ここから、本発明に係る三方断裁機の天地ナイフ対の間隔を測定できる測定器具について、図を参照しながら詳細に説明する。まず、図１を参照しながら、三方断裁機について説明する。図１は、三方断裁機の断裁部を説明するための図である。
【００１５】
図１に示したように、三方断裁機には、綴じ加工後の刷本２０の天地をそれぞれ断裁仕上げする２つの天地ナイフ１０と、それぞれの天地ナイフ１０と連動する受刃１１と、刷本２０の綴じ側の反対側である小口を断裁する小口ナイフ１２と、断裁する刷本を押さえる刷本押さえ１４と、刷本２０が積載される刷本テーブル１３と、刷本２０のサイズに合わせて天地ナイフ１０および受刃１１の位置を調整する調整ハンドル１５と、調整ハンドル１５で調整された天地方向の断裁仕上げ寸法を表示する目盛り１６とを備えている。
【００１６】
三方断裁機においては、刷本２０の左右方向の断裁仕上げ寸法は、小口ナイフ１２と刷本２０の相対位置で決まるため、刷本２０の左右方向の断裁仕上げ寸法を変更する場合は、刷本を三方断裁機に積載する位置を変更させればよい。
【００１７】
これに対して、刷本２０の天地方向の断裁仕上げ寸法は、２つの天地ナイフ１０の間隔で決定されるため、刷本の断裁仕上げ寸法を変更する場合は、仕様に合わせて、少なくとも一つの天地ナイフ１０と受刃１１の位置を調整する必要がある。
【００１８】
図２は、天地ナイフ１０および受刃１１の位置と天地方向の断裁仕上げ寸法の関係を説明する図である。図２で示したように、刷本２０の天地方向の断裁仕上げ寸法は、刷本２０において天地方向となる２つの断裁面２０ａで決定され、天地ナイフ１０の内面と受刃１１の外面は断裁面２０ａと接している。
【００１９】
図２で示した断裁面２０ａの間隔を調整するために、図１の三方裁断機は調整ハンドル１５を備え、調整ハンドル１５を回動させることで、断裁面２０ａの間隔は調整される。すなわち、調整ハンドル１５を回動させると、少なくとも一つの天地ナイフ１０と、天地ナイフ１０と対になる受刃１１とが調整ハンドル１５の回動に合わせて移動し、天地方向の断裁仕上げ寸法の仕様に合わせて、断裁面２０ａの間隔は調整される。
【００２０】
三方断裁機には、オペレータが、天地方向の断裁仕上げ寸法の仕様に合わせて断裁面２０ａの間隔を調整するために、図１に示したように、調整ハンドル１５には、断裁面２０ａの間隔を示す目盛り１６を備えていることが一般的である。
【００２１】
基本的には、この目盛り１６に表示される値と断裁面２０ａの間隔は一致するが、三方断裁機の老朽化が進み、天地ナイフ１０および受刃１１を移動させる機構に組み込まれたギヤのバックラッシが大きくなると、目盛り１６に表示される値と実際の断裁面２０ａの間隔とが一致しななくなる場合がある。
【００２２】
目盛り１６に表示される値と実際の断裁面２０ａの間隔とが一致しなくなってしまうと、三方断裁機のオペレータは、試し断裁仕上げを繰り返し行い、実際の断裁面２０ａを断裁仕上げ寸法仕様に合わせる作業が必要になり、作業ロスが発生する。
【００２３】
そこで、本発明は、試し断裁仕上げを行う前に、本発明に係る測定器具を用いて断裁面２０ａの間隔を測定し、測定した断裁面２０ａの間隔に基づいて三方断裁機を微調整することで、試し断裁仕上げの回数を減らし、作業ロスの削減を図るものである。
【００２４】
本発明が提供する測定器具は、三方断裁機上で断裁面２０ａの間隔を測定できる測定器具で、この測定器具は、断裁面２０ａの間隔として、三方断裁機上で受刃１１の外面の間隔を測定する。図３は、本発明に係る測定器具を説明する図である。
【００２５】
図３で示したように、測定器具は、長さを測定する測定器としてダイヤルゲージ３０と、ダイヤルゲージ３０が取付けられるゲージ台座３２と、三方断裁機の刷本押させ１４と受刃１１の間に挿入される嵌通部材３１とを備える。
【００２６】
測定器具に備えられたダイヤルゲージ３０は、ある基準点から１０ｍｍ〜２０ｍｍ程度までの長さを精度よく測定する計測器で、ダイヤルゲージ３０の測定子３０ａが面と点接触するために、ダイヤルゲージ３０の測定子３０ａの先端を三角形状とし、また、天地ナイフ１０または受刃１１とダイヤルゲージ３０の測定子３０ａが接触しても、ダイヤルゲージ３０の測定子３０ａの先端が変形しないように、測定子３０ａの先端には硬化処理を施している。
【００２７】
ダイヤルゲージ３０はゲージ台座３２に固着され、ゲージ台座３２は取付けネジ３３で嵌通部材３１に固定されている。この取付けネジ３３を緩めることでゲージ台座３２は嵌通部材３１を自在にスライドし、取付けネジ３３を締めれば、嵌通部材３１の任意の場所にゲージ台座３２を固定できる。
【００２８】
受刃１１と用紙押さえ１４の間に嵌通し易いように、測定器具に備えられた嵌通部材３１は薄型の棒状をしており、この嵌通部材３１には、ゲージ台座３２が取付けられる反対側の先端に、測定器具の長さの基準点となる鍵型切欠部３４が設けられている。
【００２９】
図４は、嵌通部材３１の鍵型切欠部３４を説明する図である。嵌通部材３１の先端部には鍵型の切欠けである鍵型切欠け部３４が設けられ、鍵型切欠け部３４は受刃１１の外面と密着する密着面３４ａを有している。また、嵌通部材３１の側面には、この鍵型切欠け部３４の密着面３４ａを始点としてスケール３１ａが設けられている。図４に示したように、この鍵型切欠け３４の密着面３４ａが受刃１１の外面と密着することで、スケール３１ａの始点は、図２で示した断裁面２０ａのいずれかと一致する。
【００３０】
++
図５は、測定器具の嵌通部材３１を三方断裁機の断裁部に挿入し、測定器具を三方断裁機にセットした状態を説明する図である。図２で示した三方断裁機の断裁面２０ａの間隔として、受刃１１の外面の間隔を測定するときは、三方断裁機に測定器具をセットする前に、図５（ａ）に示すごとく、測定器具の嵌通部材３１のスケール３１ａ上で、ダイヤルゲージのゼロ点（基点）が、刷本２０の天地方向の断裁仕上り寸法よりも短い長さ（基準長と記す）になるように、取付けネジ３３を利用してゲージ台座３１の位置を調整する。
【００３１】
次に、図５（ｂ）に示すごとく、ダイヤルゲージ３０の測定子３０ａの先端を受刃１１の外面に押し当てながら、測定器具の嵌通部材３１を用紙押え１４と受刃１１の間に嵌通させる。そして、図５（ｃ）に示したように、嵌通部材３１の鍵型切欠け３４の密着面３４ａと受刃１１の外面とを密着させることで、測定器具は三方断裁機の断裁部にセットされる。
【００３２】
測定器具は三方断裁機の断裁部にセットされたときに、断裁面２０ａの間隔は、基準長にダイヤルゲージ３０の測定長を加えた長さになるため、ダイヤルゲージ３０の値を読み取ることで、容易に正確な断裁面２０ａの間隔を測定することができる。
【００３３】
図６は、測定器具のダイヤルゲージ３０の値を読み取るときの留意点を説明する図で、図５（ｃ）の状態でダイヤルゲージ３０の値を読み取るときは、図６に示したように、鍵型切欠け３４が受刃１１の外面からズレたり外れたりしないように注意しながら、手前方向に軽く引っ張りつつ左右にズラし、ダイヤルゲージ３０の指示値の最小値を読み取ることで、受刃１１の間隔、すなわち断裁面２０ａの間隔を精度よく計測することができる。
【００３４】
例えば、刷本２０の天地方向の断裁仕上げ寸法が「２９７ｍｍ」であり、調整ハンドル１５を操作し三方断裁機の目盛り１６が「２９７ｍｍ」を示すように、断裁面２０ａの間隔を調整したときに、上述した基準長が「２９０ｍｍ」になるようにゲージ台座３２を嵌通部材３１に取付け、図５（ｃ）に示したように測定器具を三方裁断機にセットする。
【００３５】
このとき、ダイヤルゲージの値が「１０．５ｍｍ」であった場合は、実際の断裁面２０ａの間隔は「３００．５ｍｍ＝２９０ｍｍ＋１０．５ｍｍ」と測定でき、天地方向の断裁仕上げ寸法仕様と異なるため、測定器具を三方裁断機にセットした状態で、ダイヤルゲージ３０の値が「２９７ｍｍ」を示すように、調整ハンドル１５を操作し断裁面２０ａの間隔を調整することで、試し断裁を繰り返して実行する必要はなくなる。
【図面の簡単な説明】
【００３６】
【図１】三方断裁機の断裁部を説明するための図。
【図２】天地ナイフおよび受刃の位置と天地方向の断裁仕上げ寸法の関係を説明する図。
【図３】本発明に係る測定器具を説明する図。
【図４】測定器具の鍵型切欠け部を説明する図。
【図５】測定器具を三方断裁機にセットした状態を説明する図。
【図６】測定器具のダイヤルゲージの値を読み取るときの留意点を説明する図。
【符号の説明】
【００３７】
１０  天地ナイフ
１１  受刃
１２  小口ナイフ
１４  刷本押さえ
１５  調整ハンドル
１６  調整ハンドルの目盛り
２０  刷本
２０ａ  刷本に対して天地方向になる断裁面
３０  ダイヤルゲージ
３１  嵌通部材
３２  ゲージ台座
３３  取付けネジ
３４  鍵型の切欠け部
【図１】
2007044843.tif 000003
【図２】
2007044843.tif 000004
【図３】
2007044843.tif 000005
【図４】
2007044843.tif 000006
【図５】
2007044843.tif 000007
【図６】
2007044843.tif 000008